(57)【要約】【課題】ラベルをボトルの胴部における周方向の所定位置に取り付ける。【解決手段】胴部１１と、この胴部１１の中心軸線Ｏ方向上端部に連設された肩部１２と、この肩部１２の上端部に連設されて上方に延在した口部１３とを備え、胴部１１にラベルが取り付けられるボトル１０であって、胴部１１の上端部から肩部１２の上端部にわたった部分において、少なくとも肩部１２には、径方向外方に突出する、または径方向内方にへこむ周方向位置検出部１５が形成されている。【選択図】図１
2007230579.tif 000002
【特許請求の範囲】
【請求項１】
胴部と、この胴部の中心軸線方向上端部に連設された肩部と、この肩部の上端部に連設されて上方に延在した口部とを備え、前記胴部にラベルが取り付けられるボトルであって、
胴部の上端部から肩部の上端部にわたった部分において、少なくとも肩部には、径方向外方に突出する、または径方向内方にへこむ周方向位置検出部が形成されていることを特徴とするボトル。
【請求項２】
請求項１記載のボトルにおいて、
前記周方向位置検出部は、このボトルの中心軸線を挟んで対向して配置されるとともに、胴部の外周面は、その中心軸線を挟んで対称の形状とされていることを特徴とするボトル。
【請求項３】
胴部と、この胴部の中心軸線方向上端部に連設された肩部と、この肩部の上端部に連設されて上方に延在した口部とを備えるボトルに、ラベルが取り付けられたラベル付きボトルの製造方法であって、
前記ボトルは請求項１または２に記載のボトルとされ、このボトルの胴部にラベルを取り付ける前に予め、ボトルをその中心軸線回りに回転させ、この回転の過程において前記周方向位置検出部が検出されたときに、この回転を停止して、ラベル取り付け装置に対するボトルの胴部における周方向位置を決定した後に、このラベル取り付け装置からボトルに向けてラベルを供給し、このラベルをボトルの胴部に取り付けることを特徴とするラベル付きボトルの製造方法。
【請求項４】
胴部と、この胴部の中心軸線方向上端部に連設された肩部と、この肩部の上端部に連設されて上方に延在した口部とを備えるボトルに、ラベルが取り付けられたラベル付きボトルであって、
前記ボトルは請求項１または２に記載のボトルとされるとともに、前記周方向位置検出部は径方向内方にへこんで形成され、
前記ラベルは、胴部に、その中心軸線方向および周方向の全域にわたって一体的に巻き付けられたシュリンクラベルとされるとともに、その上端部が、前記周方向位置検出部にこの胴部の径方向で対向するように取り付けられ、
このラベルにおいて前記周方向位置検出部が位置する周方向位置には、前記中心軸線方向に延在した破断容易線が形成されていることを特徴とするラベル付きボトル。
【発明の詳細な説明】
【技術分野】
【０００１】
本発明は、合成樹脂製のボトル、ラベル付きボトルの製造方法およびラベル付きボトルに関するものである。
【背景技術】
【０００２】
従来から、この種のボトルにおいては、例えば下記特許文献１に示されるように、商品名や内容物の表示や意匠の観点から、その胴部に、例えばシュリンクラベルやシールラベル等といったラベルが取り付けられている。
【特許文献１】特開２００５−１８７０５３号公報
【発明の開示】
【発明が解決しようとする課題】
【０００３】
ところが、前記従来のラベル付きボトルは、ラベル取り付け装置に向けて搬送されたボトルがこの装置に到達すると、ボトルの胴部における周方向位置をラベル取り付け装置に対して位置決めすることなく、この胴部にラベルを取り付けて形成されていたので、例えば、胴部に、径方向内方にへこむパネル面が周方向に間隔をあけて複数形成されるとともに、これらのパネル面同士の間に中心軸線方向に延びる柱部が形成される等して、この胴部の表面が凹凸形状であった場合は、凸部としての柱部に、ラベルに表示された文字等が位置されるおそれがあった。この場合、文字等が歪むことにより商品等の表示機能を十分に発揮できなかったり、意匠性を害するおそれがあった。
【０００４】
本発明は、このような事情を考慮してなされたもので、ラベルをボトルの胴部における周方向の所定位置に取り付けることが可能になるボトル、ラベル付きボトルの製造方法およびラベル付きボトルを提供することを目的とする。
【課題を解決するための手段】
【０００５】
上記課題を解決して、このような目的を達成するために、本発明のボトルは、胴部と、この胴部の中心軸線方向上端部に連設された肩部と、この肩部の上端部に連設されて上方に延在した口部とを備え、前記胴部にラベルが取り付けられるボトルであって、胴部の上端部から肩部の上端部にわたった部分において、少なくとも肩部には、径方向外方に突出する、または径方向内方にへこむ周方向位置検出部が形成されていることを特徴とする。
【０００６】
この発明では、胴部の上端部から肩部の上端部にわたった部分において、少なくとも肩部に周方向位置検出部が形成されているので、ボトルの胴部にラベルを取り付ける前に予め、ボトルをその中心軸線回りに回転させ、この回転の過程において前記周方向位置検出部が検出されたときに、この回転を停止して、ラベル取り付け装置に対するボトルの胴部における周方向位置を決定した後に、このラベル取り付け装置からボトルに向けてラベルを供給してボトルの胴部に取り付けることが可能になる。
したがって、ラベルをボトルの胴部における周方向の所定位置に取り付けることが可能になり、例えば、胴部の表面が凹凸形状とされている場合においても、ラベル取り付け装置から供給されたラベルに表示されている文字等を、胴部の表面において凸部分を回避した位置に位置させることが可能になり、胴部に取り付けられたラベルに表示されている文字等が歪むのを抑制することができる。
なお、ボトルは、一般に、その胴部が中心軸線を挟んで互いに対向する部分が一対の搬送板に挟みこまれた状態で、底面がコンベア上に配置されて搬送されるので、胴部においてその上端部よりも下方に位置する部分に、前記周方向位置検出部を形成してこの検出部を検出するようにすると、この検出が前記搬送板によって阻害される等して、高精度な前記位置決めを実現することが困難になるおそれがある。
【０００７】
ここで、前記周方向位置検出部は、このボトルの中心軸線を挟んで対向して配置されるとともに、胴部の外周面は、その中心軸線を挟んで対称の形状とされてもよい。
【０００８】
この場合、前記のように、ボトルをその中心軸線回りに回転させ、この回転の過程において前記周方向位置検出部が検出されたときに、この回転を停止して、ラベル取り付け装置に対するボトルの胴部における周方向位置を決定する場合に、この決定までに要するボトルの回転移動角度を１８０°より小さくすることが可能になり、ラベルをボトルの胴部における周方向の所定位置に取り付けることが可能になったことによって、ラベル付きボトルの製造時間が長くなるのを抑制することができる。
【０００９】
また、本発明のラベル付きボトルの製造方法は、胴部と、この胴部の中心軸線方向上端部に連設された肩部と、この肩部の上端部に連設されて上方に延在した口部とを備えるボトルに、ラベルが取り付けられたラベル付きボトルの製造方法であって、前記ボトルは請求項１または２に記載のボトルとされ、このボトルの胴部にラベルを取り付ける前に予め、ボトルをその中心軸線回りに回転させ、この回転の過程において前記周方向位置検出部が検出されたときに、この回転を停止して、ラベル取り付け装置に対するボトルの胴部における周方向位置を決定した後に、このラベル取り付け装置からボトルに向けてラベルを供給し、このラベルをボトルの胴部に取り付けることを特徴とする。
【００１０】
さらに、本発明のラベル付きボトルは、胴部と、この胴部の中心軸線方向上端部に連設された肩部と、この肩部の上端部に連設されて上方に延在した口部とを備えるボトルに、ラベルが取り付けられたラベル付きボトルであって、
前記ボトルは請求項１または２に記載のボトルとされるとともに、前記周方向位置検出部は径方向内方にへこんで形成され、前記ラベルは、胴部に、その中心軸線方向および周方向の全域にわたって一体的に巻き付けられたシュリンクラベルとされるとともに、その上端部が、前記周方向位置検出部にこの胴部の径方向で対向するように取り付けられ、このラベルにおいて前記周方向位置検出部が位置する周方向位置には、前記中心軸線方向に延在した破断容易線が形成されていることを特徴とする。
【００１１】
この場合、シュリンクラベルとボトルとを分別するときに、へこみ部としての前記周方向位置検出部に指を入り込ませることにより、シュリンクラベルの上端部と胴部との間に指を容易に入れることが可能になる。しかも、ラベルにおいて前記周方向位置検出部が位置する周方向位置には、前記中心軸線方向に延在した破断容易線が形成されているので、シュリンクラベルにおいて周方向位置検出部と対向する部分を指でつまんで中心軸線方向下方に向けて引き下げることによって、破断容易線を破断することが可能になり、前記分別を容易に行うことができるようになる。
【発明の効果】
【００１２】
この発明に係るボトル、ラベル付きボトルの製造方法およびラベル付きボトルによれば、ラベルをボトルの胴部における周方向の所定位置に取り付けることができる。
【発明を実施するための最良の形態】
【００１３】
以下、図面を参照し、この発明の実施の形態について説明する。この実施形態に係るボトル１０は、胴部１１と、この胴部１１の中心軸線Ｏ方向上端部に連設された肩部１２と、この肩部１２の上端部に連設されて上方に延在した口部１３とが一体的に形成されてなる合成樹脂製とされている。そして、胴部１１に図示されないラベルが取り付けられてラベル付きボトルが構成されるようになっている。
【００１４】
このラベルとしては、例えばシュリンクラベルやシールラベル等が挙げられる。シュリンクラベルは、無端状とされるとともに、その内側に胴部１１を挿入した状態で、これらを加熱してこのラベルが胴部１１に巻き付くまで縮径変形させることにより、胴部１１に取り付けられる。また、シールラベルは、一方の表面に粘着層が形成され、この粘着層を胴部１１に貼着することにより胴部１１に取り付けられる。
【００１５】
また、胴部１１の上端１１ａと肩部１２の下端１２ａとは、周方向に延在した環状凹リブ１４を介して連結されている。さらに、胴部１１には、径方向内方にへこみ、かつ中心軸線Ｏ方向に延びる長円形状のパネル面１１ｂが、周方向に所定の間隔をあけて複数形成されるとともに、これらのパネル面１１ｂ同士の間が柱部１１ｃとされている。これにより、胴部１１は、凹形状のパネル面１１ｂと凸形状の柱部１１ｃとが周方向に交互に形成された構成とされている。また、これらのパネル面１１ｂおよび柱部１１ｃはそれぞれ偶数個ずつ形成されており、この胴部１１の外周面は、その中心軸線Ｏを挟んで対称の形状とされている。
【００１６】
そして、本実施形態では、胴部１１の上端部から肩部１２の上端部にわたった部分において、少なくとも肩部１２に、径方向外方に突出する、または径方向内方にへこむ周方向位置検出部１５が形成されている。図１から図３に示す周方向位置検出部１５は、肩部１２において下端部から上端部にわたった略全域に延在し、径方向外方に突出するリブ状体とされている。
【００１７】
なお、本実施形態では、肩部１２の上端１２ｂに１つの頂点を有し、かつ肩部１２の下端１２ａに２つの頂点を有する第１三角面１２ｃと、肩部１２の下端１２ａに１つの頂点を有し、かつ肩部１２の上端１２ｂに２つの頂点を有する第２三角面１２ｄとが、稜線１２ｅをなして肩部１２の周方向に交互に連結されることによって肩部１２が構成されている。また、第１三角面１２ｃおよび第２三角面１２ｄはそれぞれ、中心軸線Ｏを挟んで対向して位置するように偶数個形成されている。そして、複数の第２三角面１２ｄのうち、中心軸線Ｏを挟んで互いに対向する２つの第２三角面１２ｄに周方向位置検出部１５がそれぞれ形成されている。なお、第２三角面１２ｄの幅、つまり周方向における大きさは、第１三角面１２ｃよりも小さくされている。
【００１８】
次に、以上のように構成されたボトル１０の胴部１１にラベルを取り付ける方法について説明する。
まず、ボトル１０を、その中心軸線Ｏが鉛直方向に向くように直立姿勢とさせて、図示されない底面をベルトコンベア上に配置し、胴部１１において中心軸線Ｏを挟んで互いに対向する部分を、一対の搬送板に挟み込んだ状態におく。この状態で、ベルトコンベアを駆動して、前記搬送板により胴部１１を挟み込んだ状態で、このボトル１０を、ラベル取り付け装置の配設位置に到達するまで搬送する。
【００１９】
そして、このラベル取り付け装置により胴部１１にラベルを取り付ける前に予め、このボトル１０をその中心軸線Ｏ回りに回転させ、この回転の過程において周方向位置検出部１５が検出されたときに、この回転を停止して、ラベル取り付け装置に対するボトル１０の胴部１１における周方向位置を決定した後に、このラベル取り付け装置からボトル１０に向けてラベルを供給し、このラベルをボトル１０の胴部１１に取り付けて、ラベル付きボトルを形成する。
なお、前述したラベル取り付け装置に対する胴部１１の周方向位置は、具体的には、ラベル取り付け装置からボトル１０に供給したラベルにおいて文字等の記載された部分が、胴部１１のパネル面１１ｂにその径方向で対向するようにして決定する。
【００２０】
ここで、ボトル１０をその中心軸線Ｏ回りに回転させるには、例えば、回転テーブルの表面に、このボトル１０の中心軸線Ｏが鉛直方向に向き、かつこのテーブルの回転中心と前記中心軸線Ｏとが略一致するようにその底面を配置した状態で、このテーブルを回転させることによって実現することができる。
【００２１】
また、周方向位置検出部１５を検出するには、例えば、肩部１２の径方向外方において、肩部１２が中心軸線Ｏ方向に延びる傾斜方向に直交する方向で、かつ周方向位置検出部１５を除く肩部１２の外周面に接する方向に向けて光を照射するように配置された光電管を採用することができる。そして、ボトル１０の前記回転の過程において、光電管からの光が周方向位置検出部１５により遮光されたときに、前記回転を停止させるようにすることができる。
【００２２】
以上説明したように本実施形態に係るボトルおよびラベル付きボトルの製造方法によれば、肩部１２において下端部から上端部にわたった部分に周方向位置検出部１５が形成されているので、ボトル１０の胴部１１にラベルを取り付ける前に予め、ボトル１０をその中心軸線Ｏ回りに回転させ、この回転の過程において周方向位置検出部１５が検出されたときに、この回転を停止して、ラベル取り付け装置に対するボトル１０の胴部１１における周方向位置を決定した後に、ラベル取り付け装置からボトル１０に向けてラベルを供給し、このラベルをボトル１０の胴部１１に取り付けることが可能になる。
【００２３】
したがって、ラベルをボトル１０の胴部１１における周方向の所定位置に取り付けることが可能になり、本実施形態のように胴部１１に凹形状のパネル面１１ｂと凸形状の柱部１１ｃとが形成されている場合においても、ラベル取り付け装置から供給されたラベルに表示されている文字等を、胴部１１の表面において柱部１１ｃを回避した位置に位置させることが可能になり、胴部１１に取り付けられたラベルに表示されている文字等が歪むのを抑制することができる。
【００２４】
また、本実施形態では、周方向位置検出部１５が肩部１２に形成されているので、高精度な前記位置決めを確実に実現することができる。すなわち、ボトル１０の胴部１１において中心軸線Ｏを挟んで互いに対向する部分が一対の搬送板に挟みこまれた状態で、ボトル１０の底面がコンベア上に配置されて、このボトル１０が搬送される場合には、例えば胴部１１においてその上端部よりも下方に位置する部分に周方向位置検出部１５を形成してこの検出部１５を検出することによって、前記位置決めをしようとすると、前記搬送板によって光電管等からの光が遮光される等して、高精度な位置決めを実現することが困難になるおそれがある。
【００２５】
さらに、本実施形態では、周方向位置検出部１５が、このボトル１０の中心軸線Ｏを挟んで対向して配置されるとともに、胴部１１の外周面は、その中心軸線Ｏを挟んで対称の形状とされているので、前記のように、ボトル１０をその中心軸線Ｏ回りに回転させ、この回転の過程において周方向位置検出部１５が検出されたときに、この回転を停止して、ラベル取り付け装置に対するボトル１０の胴部１１における周方向位置を決定する場合に、この決定までに要するボトル１０の回転移動角度を１８０°より小さくすることが可能になり、ラベルをボトル１０の胴部１１における周方向の所定位置に取り付けることが可能になったことによって、ラベル付きボトルの製造時間が長くなるのを抑制することができる。
【００２６】
また、本実施形態では、周方向位置検出部１５が、前記幅が第１三角面１２ｃよりも小さい第２三角面１２ｄに形成され、この肩部１２の前記傾斜方向に沿って延在しているので、周方向位置検出部１５を肩部１２に形成したことによって、このボトル１０の見映えが悪くなるのを抑えることが可能になり、前記のように、ラベルに記載された文字等が歪んだ状態で胴部１１に取り付けられるのを抑制することができることと相俟って、美観に優れるラベル付きボトルが確実に提供されることになる。
【００２７】
なお、本発明の技術的範囲は前記実施の形態に限定されるものではなく、本発明の趣旨を逸脱しない範囲において種々の変更を加えることが可能である。
例えば、横断面視多角形状の胴部１１を有するボトル１０にも適用可能である。
【００２８】
また、図１から図３に示す周方向位置検出部１５に代えて、例えば図４および図５に示すような、環状凹リブ１４の上端部から肩部１２の下端部にわたった部分で、かつ第２三角面１２ｄの前記１つ頂点から周方向両側にそれぞれ位置する第１三角面１２ｃの周方向中央部にかけて位置する、このボトル１０の側面視で周方向に横長の４角形状のへこみ部を採用してもよい。なお、この周方向位置検出部１５は、環状凹リブ１４とは独立した位置に形成されている。
【００２９】
さらに、図６および図７に示すような、図４および図５で示した周方向位置検出部１５と比べ周方向長さが短くされて、このボトル１０の側面視で中心軸線Ｏ方向に縦長の４角形状のへこみ部を採用してもよい。
【００３０】
さらに、図８に示すように、胴部１１の外周面が略平滑面とされたボトル１０を採用してもよく、また、図１から図７で示した周方向位置検出部１５に代えて、胴部１１の上端部から、肩部１２の下端部にわたった部分に径方向内方にへこんで形成された周方向位置検出部１５を採用してもよい。
【００３１】
さらに、この場合において、ラベルを、胴部１１に、その中心軸線Ｏ方向および周方向の全域にわたって一体的に巻き付けられたシュリンクラベル１６とするとともに、その上端部を、周方向位置検出部１５にこの胴部１１の径方向で対向するように胴部１１の上端部に位置させ、このラベルにおいて周方向位置検出部１５が位置する周方向位置に、中心軸線Ｏ方向に延在した破断容易線１６ａを形成してもよい。
【００３２】
この場合、シュリンクラベル１６とボトル１０とを分別するときに、へこみ部としての周方向位置検出部１５に指を入り込ませることにより、シュリンクラベル１６の上端部と胴部１１との間に指を容易に入れることが可能になる。しかも、シュリンクラベル１６において周方向位置検出部１５が位置する周方向位置には、中心軸線Ｏ方向に延在した破断容易線１６ａが形成されているので、シュリンクラベル１６において周方向位置検出部１５に対向する部分を指でつまんで中心軸線Ｏ方向下方に向けて引き下げることによって破断容易線１６ａを破断することが可能になり、この分別を容易に行うことができるようになる。
【００３３】
また、前記実施形態では、胴部１１にラベルを取り付ける前に、光電管により周方向位置検出部１５を検出する方法を示したが、これに代えて、例えば、画像処理装置を用いて周方向位置検出部１５を検出し、ボトル１０の中心軸線Ｏ回りの回転移動を停止させるようにしてもよい。
【００３４】
さらに、図１から図３に示す実施形態では、周方向位置検出部１５を、肩部１２の第２三角面１２ｄに形成したが、第１三角面１２ｃに形成するようにしてもよい。また、周方向位置検出部１５を２つ形成したが、１つのみ形成してもよく、あるいは３つ以上形成してもよいし、その個数は特に限定されるものではない。なお、周方向位置検出部１５を３つ以上形成する場合には、胴部１１の周方向に均等な距離をおいて配置するのが望ましい。
【００３５】
また、前記実施形態では、ラベル取り付け装置に対するボトル１０の胴部１１における周方向位置を決める際に、中心軸線Ｏが鉛直方向に向くようにこのボトル１０を正立姿勢とさせたが、例えば中心軸線Ｏが水平方向に向くようにこのボトル１０を横向き姿勢とさせてもよい。
【産業上の利用可能性】
【００３６】
ラベルをボトルの胴部における周方向の所定位置に取り付けることができる。
【図面の簡単な説明】
【００３７】
【図１】本発明に係る第１実施形態として示したボトルの概略側面図である。
【図２】図１に示すボトルの上面図である。
【図３】図１に示すボトルのＡ−Ａ線矢視断面図である。
【図４】本発明に係る第２実施形態として示したボトルの概略側面図である。
【図５】図４に示すボトルのＡ−Ａ線矢視断面図である。
【図６】本発明に係る第３実施形態として示したボトルの概略側面図である。
【図７】図６に示すボトルのＡ−Ａ線矢視断面図である。
【図８】本発明に係る一実施形態として示したラベル付きボトルの概略斜視図である。
【符号の説明】
【００３８】
１０  ボトル
１１  胴部
１２  肩部
１３  口部
１５  周方向位置検出部
１６  シュリンクラベル
１６ａ  破断容易線
Ｏ  中心軸線
【図１】
2007230579.tif 000003
【図２】
2007230579.tif 000004
【図３】
2007230579.tif 000005
【図４】
2007230579.tif 000006
【図５】
2007230579.tif 000007
【図６】
2007230579.tif 000008
【図７】
2007230579.tif 000009
【図８】
2007230579.tif 000010